(57)【要約】　　　（修正有）【課題】表示部の表示を拡大表示することができるモバイル機器を小型化・軽量化する。【解決手段】投影レンズ４が装着されたときに、反転指示出力手段７が表示制御手段８に反転指示を出力すると、表示制御手段８が表示部３に表示される画面を上下左右に反転させて表示する。【選択図】　　　　　図４
2004118069.tif 000002
【特許請求の範囲】
【請求項１】
筐体に表示部が設けられたモバイル機器において、
前記表示部上に投影レンズを装着することにより画面を投影拡大表示可能なものであって、
前記表示部の表示内容を反転させるための反転指示を出力する反転指示出力手段と、
該反転指示出力手段から出力された反転指示を受けて、前記表示部の表示内容を上下左右に反転させて表示させる表示制御手段と
を有することを特徴とするモバイル機器。
【請求項２】
前記反転指示出力手段が、前記表示部上に前記投影レンズが装着されたことを検出して反転指示を出力するレンズ検出手段であることを特徴とする請求項１に記載のモバイル機器。
【請求項３】
前記表示制御手段が、前記反転指示出力手段により反転指示が出力されたときに前記表示部の明るさを大きくするように制御するものであることを特徴とする請求項１または請求項２に記載のモバイル機器。
【請求項４】
前記筐体が、前記投影レンズを収容するレンズ収容部を有することを特徴とする請求項１から請求項３のいずれかに記載のモバイル機器。
【発明の詳細な説明】
【０００１】
【発明の属する技術分野】
本発明は、たとえば携帯電話やＰＤＡ等の表示部を有するモバイル機器に関するものである。
【０００２】
【従来の技術】
近年、携帯電話やＰＤＡ等のモバイル機器が普及しており、これらモバイル機器にはたとえば液晶表示パネル等からなる表示部が取り付けられている。モバイル機器は本体自体が小型であるため表示部の大きさも小さく、モバイル機器の画面表示を大きくすることが望まれている。
【０００３】
そこで、従来、モバイル機器に小型スクリーンを設けて画面の表示を大きくすることが提案されている（特許文献１参照）。具体的には、モバイル機器の筐体内に液晶表示パネルと結像光学系とスクリーンとが配置されており、液晶表示パネルに表示された画面が結像光学系によりスクリーンに拡大表示されるようになっている。
【０００４】
【特許文献１】
特開平１１−２９５６９０号公報
【０００５】
【発明が解決しようとする課題】
しかし、特許文献１において液晶板の画像をスクリーン上に表示させるためには、光学レンズ等を用いて液晶板の画像をスクリーン上に結像させる必要がある。このため、モバイル機器内に液晶板からスクリーンまでの相当の光路長が必要となり、モバイル機器の小型化を妨げてしまうという問題がある。また、画像を拡大するためにスクリーンを大きくすると、モバイル機器自体が大型化してしまうという問題がある。一方、モバイル機器がスクリーンを有する構造を有しているため、画像の拡大表示には限界があるという問題がある。
【０００６】
そこで、本発明は、表示部の拡大表示を可能にしながら機器の小型化・軽量化を図ることができるモバイル機器を提供することを目的とするものである。
【０００７】
【課題を解決するための手段】
本発明のモバイル機器は、筐体に表示部が設けられたモバイル機器において、前記表示部上に投影レンズを装着することにより画面を投影拡大表示可能なものであって、前記表示部の表示内容を反転させるための反転指示を出力する反転指示出力手段と、該反転指示出力手段から出力された反転指示を受けて、前記表示部の表示内容を上下左右に反転させて表示させる表示制御手段とを有することを特徴とするものである。
【０００８】
ここで、「表示部に表示される表示内容」は、文字、図形、記号もしくはこれらの組み合わせを含むものである。
【０００９】
また、「反転指示出力手段」は、ユーザが手動により操作可能なボタン等からなっていてもよいし、表示部上に投影レンズが装着されたことを検出して反転指示を出力するレンズ検出手段であってもよい。
【００１０】
なお、「表示制御手段」は、反転指示出力手段により反転指示が出力されたときに表示部の明るさを大きくするように制御するものであってもよい。
【００１１】
また、「筐体」は、投影レンズを収容するレンズ収容部を有するものであってもよい。さらに、筐体に投影レンズを表示部上に保持するためのレンズ保持手段が設けられてもよい。
【００１２】
【発明の効果】
本発明のモバイル機器によれば、反転指示出力手段から反転指示を受けると表示制御手段が表示部に表示される表示内容を上下左右に反転させて表示するように構成したので、投影レンズを用いたときでも表示部の画像を正しい向きに投影することができ、そのため表示部上に投影レンズを装着して表示部を正しい向きに拡大表示することが可能になり、筐体内にスクリーンおよび結像光学系を内蔵する場合に比べて、小型化・軽量化を図ることができる。
【００１３】
また、表示部の拡大表示を投影レンズを用いて行うことができるため、従来のようにモバイル機器にスクリーンを設けて拡大表示させる場合に比べて拡大倍率を飛躍的に大きくすることができる。
【００１４】
なお、反転指示出力手段が表示部上に投影レンズが装着されたことを検出して反転指示を出力するレンズ検出手段により構成されると、投影レンズの装着を自動的に検出して反転表示がなされるため、ユーザの使い勝手を向上させることができる。
【００１５】
また、反転指示出力手段からの反転指示を受けたときに表示部の明るさを大きくすることにより、投影された表示部の表示を見やすくすることができる。
【００１６】
また、筐体に投影レンズを収容するレンズ収容部を設けることにより、モバイル機器とともに投影レンズを持ち運ぶことができるため、ユーザの使い勝手を向上させることができる。
【００１７】
【発明の実施の形態】
以下、本発明の実施の形態について図面を参照しながら説明していく。図１から図３は本発明のモバイル機器の好ましい実施の形態を示す図である。なお、図１と図２はモバイル機器１を示す斜視図、図３はモバイル機器を示す上面図、図４はモバイル機器を示す側面図である。
【００１８】
図１のモバイル機器１は、たとえば携帯電話やＰＤＡ等の持ち運び可能な携帯型電子機器であって、筐体２に表示部３を設けた構造を有する。そして、通常、ユーザは表示部３に表示される文字等を見ながら操作を行いもしくは画像を観賞等する。
【００１９】
一方、たとえば複数人により表示部３の表示を見るときに表示部３を拡大表示したい場合には、図２に示すようにユーザは投影レンズ４を筐体２から取り外して表示部３上に取り付ける。そして、ユーザは表示部３をたとえば机上、壁、紙面等に向けて拡大表示された画面を見ることができる。
【００２０】
投影レンズ４は通常は筐体２の背面２ａに設けられた凹状のレンズ収容部５に収容されており、使用時に表示部３の上に取り付けられることになる。ここで、図３に示すように、投影レンズ４は両側面４ａ、４ａに筐体２を挟持する挟持部４ｂを有し、筐体２の側面２ｂには挟持部４ｂを挿入するための溝２ｃが形成されている。そして、投影レンズ４を使用しないときには、挟持部４ｂが溝２ｃに挿入されて投影レンズ４が筐体２に保持される。同様に、投影レンズ４が表示部３の上に配置されるときにも、挟持部４ｂが溝２ｃに挿入されて投影レンズ４が筐体２に保持される。つまり、この溝２ｃは、投影レンズ４を表示部３上に装着させた状態で保持するレンズ保持部として機能することになる。
【００２１】
なお、投影レンズ４を表示部３上およびレンズ収容部５に保持する構造として、投影レンズ４が挟持部４ｂを有し筐体２が溝２ｃを有する場合について例示しているが、筐体２が投影レンズ４の外周側を挟持することにより投影レンズ４を保持する等その他の種々の技術により保持されることも可能である。
【００２２】
ここで、投影レンズ４は表示部３側から入射される光を拡大して表示するような非球面レンズからなっている。そして、図３の上面図に示すように、投影レンズ４は表示部３の内容が左右反転した状態で拡大表示する。同様に、図４の側面図に示すように、投影レンズ４は表示部３の内容を上下反転した状態で拡大表示する。したがって、表示部３の表示と拡大表示された表示とは上下左右反転した状態になり、表示部３を直接見たときに正常に見える表示方法により表示すると、上下左右反転した状態で拡大表示される。
【００２３】
そこで、投影レンズ４により拡大表示した際にも、正常な向きの画面を表示させるために、モバイル機器１には表示部３の表示内容を反転させるための反転指示を出力する反転指示出力手段７と、反転指示出力手段７から反転指示が出力されたときに表示部３の表示内容を上下左右に反転させて表示させる表示制御手段８が設けられている。
【００２４】
具体的には、図４の反転指示出力手段７は、たとえば筐体２の表示部３周辺に配置されたスイッチからなるレンズ検出手段からなり（図３参照）、投影レンズ４が表示部３上に取り付けられたときに、投影レンズ４によりスイッチが押され（ＯＮ状態）、投影レンズ４が外されたときにはスイッチが戻るようになっている（ＯＦＦ状態）。そして、反転指示出力手段７は、ＯＮ状態になっているときには表示制御手段８に反転指示信号を表示制御手段８に出力する。一方、反転指示出力手段７は、ＯＦＦ状態になっているときには表示制御手段８に反転指示信号を出力しない。
【００２５】
表示制御手段８は、反転指示出力手段７から反転指示信号が送られると、表示部３の表示を上下左右対称に表示させるようにする機能を有する。すると、投影レンズ４により投影された画面の上下左右が正しく表示されるようになる。このように、投影レンズ４が表示部３上に装着されていないときには、表示部３に通常の画面表示をするとともに、投影レンズ４が表示部３上に装着されたときは上下左右反転して表示させることができる。よって、従来のようにモバイル機器の筐体内に拡大表示するための撮像光学系やスクリーン等が不要となり、モバイル機器の小型化・軽量化を図ることができる。
【００２６】
また、１台のモバイル機器１において常に拡大表示するのではなく通常の表示部３による画面を使用する場合と投影レンズ４により拡大表示する場合とを使い分けることができる。さらに、投影レンズ４を用いることにより従来に比べて飛躍的に大きい拡大表示が可能となるため、ユーザにとって使い勝手のよいモバイル機器１を提供することができる。
【００２７】
さらに、表示制御手段８は、反転指示出力手段７から反転指示信号が送られたときには、表示部３の明るさを大きくする機能を有する。ここで、表示部３は液晶表示パネル３ａとバックライト３ｂとを有している（図３参照）。そして、表示制御手段８は、バックライト３ｂの明るさを強くして表示部３から射出される光強度を大きくする。これにより、投影レンズ４により投射された画像の光を大きくすることができるため、拡大表示された画面を見やすくすることができる。
【００２８】
本発明の実施の形態によれば、反転指示出力手段７から反転指示を受けると表示制御手段８が表示部３に表示される表示内容を上下左右に反転させて表示するように構成したので、投影レンズ４を用いたときでも表示部３の画像を正しい向きに投影することができ、そのため表示部３上に投影レンズ４を装着して表示部３を正しい向きに拡大表示することが可能になり、筐体２内にスクリーンおよび結像光学系を内蔵する場合に比べて、小型化・軽量化を図ることができる。
【００２９】
また、表示部３の拡大表示を投影レンズ４を用いて行うことができるため、従来のようにモバイル機器１にスクリーンを設けて拡大表示させる場合に比べて拡大倍率を飛躍的に大きくすることができる。
【００３０】
なお、反転指示出力手段７が表示部３上に投影レンズ４が装着されたことを検出して反転指示を出力するレンズ検出手段により構成されると、投影レンズ４の装着を自動的に検出して反転表示がなされるため、ユーザの使い勝手を向上させることができる。
【００３１】
また、反転指示出力手段７からの反転指示を受けたときに表示部３の明るさを大きくすることにより、投影された表示部３の表示を見やすくすることができる。
【００３２】
また、筐体２に投影レンズ４を収容するレンズ収容部５を設けることにより、モバイル機器１とともに投影レンズ４を持ち運ぶことができるため、ユーザの使い勝手を向上させることができる。
【００３３】
なお、本発明の実施の形態は、上記実施の形態に限定されない。たとえば、図１と図２において、筐体２に投影レンズ４を収容するためのレンズ収容部５が形成されているが、筐体２にレンズ収容部５を設けずにモバイル機器１とは別に投影レンズ４をユーザが所持し、必要に応じて表示部３上に投影レンズ４を取り付けるようにして、モバイル機器１自体の重さを軽くしてもよい。
【００３４】
また、上記実施の形態において、表示制御手段８がスイッチからなる反転指示出力手段７が投影レンズ４に押されることにより、表示部３の表示を上下左右対称にしているが、ユーザがボタン操作することにより表示部３を上下左右対称にする機能を有していてもよい。また、表示部３の明るさもユーザによりユーザがボタン操作することにより、設定する機能を有していてもよい。
【図面の簡単な説明】
【図１】本発明のモバイル機器の好ましい実施の形態を示す斜視図
【図２】本発明のモバイル機器の好ましい実施の形態を示す斜視図
【図３】表示部に投影レンズを装着したときのモバイル機器を上面からみたときの模式図
【図４】表示部に投影レンズを装着したときのモバイル機器を側面からみたときの模式図
【符号の説明】
１　　　　モバイル機器
２　　　　筐体
３　　　　表示部
４　　　　投影レンズ
５　　　　レンズ収容部
７　　　　反転指示出力手段
８　　　　表示制御手段
【図１】
2004118069.tif 000003
【図２】
2004118069.tif 000004
【図３】
2004118069.tif 000005
【図４】
2004118069.tif 000006